(57)【要約】      （修正有）【課題】吐出器からの取り外しを防止することができる、新規な吐出器用のストッパーを提供する。【解決手段】ベース11を貫通する導管の上端に取り付けられたヘッド14の押し下げにより導管13を通して送られた内容物を外界に吐出する吐出器10に用いられ、ヘッド14とベース11との間に介在させて、ヘッド14の押し下げを阻止するものである。ストッパー1は、ヘッド14とベース11との間から取り外し可能な側壁2と、この側壁2とヒンジ3を介して開閉可能に繋がり互いに合さる2つの補助側壁4とを有し、2つの補助側壁4の合せ面f4に係る部位は、当該部位を合せて固定することでタブ6を形作る膨出部位4aとしてなり、ヒンジ3はそれぞれ、タブ6の操作により切断可能に構成されている。【選択図】図２
2010173720.tif 000002
【特許請求の範囲】
【請求項１】
ベースを貫通する導管の上端に取り付けられたヘッドの押し下げにより導管を通して送られた内容物を外界に吐出する吐出器に用いられ、ヘッドとベースとの間に介在させて、ヘッドの押し下げを阻止する、吐出器用のストッパーであって、
当該ストッパーは、ヘッドとベースとの間からの取り外しが可能な側壁と、この側壁とヒンジを介して開閉可能に繋がり互いに合さる２つの補助側壁とを有し、
２つの補助側壁の合せ面に係る部位は、当該部位を合せて固定することでタブを形作る膨出部位としてなり、
ヒンジはそれぞれ、タブの操作により切断可能に構成されたものであることを特徴とする、吐出器用のストッパー。
【請求項２】
請求項１において、タブを形作る膨出部位は、補助側壁の合せ面に係る高さ方向の部位のうち、当該補助側壁の上端側の部位であることを特徴とする、吐出器用のストッパー。
【請求項３】
請求項１又は２において、補助側壁が、ヘッドの接触を防止する保護カバーを一体に有するものであることを特徴とする、吐出器用のストッパー。
【発明の詳細な説明】
【技術分野】
【０００１】
本発明は、ベースを貫通する導管の上端に取り付けられたヘッドの押し下げにより導管を通して送られた内容物を外界に吐出する吐出器に用いられ、ヘッドとベースとの間に介在させて、ヘッドの押し下げを阻止する、吐出器用のストッパーに関するものである。
【背景技術】
【０００２】
吐出器の誤動作を防止するストッパーとしては、筒体の一部を軸線方向に沿って開放させることで、容器キャップから突出する導管を取り外し可能に収納するものがある（例えば、特許文献１参照）。
【先行技術文献】
【特許文献】
【０００３】
【特許文献１】実公昭６３−３３６４６号公報
【発明の概要】
【発明が解決しようとする課題】
【０００４】
しかしながら、従来のストッパーは、導管からの着脱が常時可能であるため、流通時における取り外しも可能である。このため、従来のストッパーは、吐出器からの取り外しを防止するための手段として、シュリンクフィルムで包装したり、ラベルを貼り付ける等、ストッパーとは別体の部材を用いなければならなかった。
【０００５】
本発明は、こうした事実認識に基づいてなされたものであり、その目的とするところは、別部材を用いることなく、吐出器からの取り外しを防止することができる、新規な吐出器用のストッパーを提供することにある。
【課題を解決するための手段】
【０００６】
本発明は、ベースを貫通する導管の上端に取り付けられたヘッドの押し下げにより導管を通して送られた内容物を外界に吐出する吐出器に用いられ、ヘッドとベースとの間に介在させて、ヘッドの押し下げを阻止する、吐出器用のストッパーであって、
当該ストッパーは、ヘッドとベースとの間からの取り外しが可能な側壁と、この側壁とヒンジを介して開閉可能に繋がり互いに合さる２つの補助側壁とを有し、
２つの補助側壁の合せ面に係る部位は、当該部位を合せて固定することでタブを形作る膨出部位としてなり、ヒンジはそれぞれ、タブの操作により切断可能に構成されたものであることを特徴とするものである。
【０００７】
側壁は、ヘッドとベースとの間から取り外し可能なものであれば、ベース、導管及びヘッドの少なくともいずれか一つに対して取り外し可能な構成であればよい。また、２つの補助側壁の合せ面を固定する構成としては、超音波接着で固定する構成、一方の合せ面に設けた突起部を、他方の合せ面に設けた凹部に嵌合させる構成、又は、一方の合せ面に設けた突起部を他方の合せ面に設けた貫通孔を通して当該他方の合せ面に掛り止めさせる構成が挙げられる。
【０００８】
タブの操作によりヒンジを切断可能にする構成としては、例えば、切断予定線を薄肉で構成し、複数のスリット（開口）又は凹部で構成し、又は、これらを組み合わせて構成するものが挙げられる。
【０００９】
また、タブを形作る膨出部位は、補助側壁の合せ面に係る高さ方向の部位全体で構成することも、補助側壁の合せ面に係る高さ方向の部位のうちの一部で構成することも可能であるが、補助側壁の合せ面に係る高さ方向の部位のうちの一部で構成する場合には、例えば、当該補助側壁の上端側の部位で構成することができる。
【００１０】
更に、本発明に従えば、補助側壁には、ヘッドの接触を防止する保護カバーを一体に設けることができる。
【発明の効果】
【００１１】
本発明は、２つの補助側壁に設けた膨出部位が互いに合さって側壁と共に固定されるため、２つの補助側壁を強制的に開く等、当該補助側壁に対して外部からの積極的な操作が行われないと、吐出器から取り外すことができない。従って、本発明によれば、別部材を用いることなく、吐出器からの取り外しを防止することができる。
【００１２】
また、本発明は、吐出器から取り外すとき、２つの合せ面を固定してなるタブを操作することで、補助側壁と側壁とを繋ぐ２つのヒンジがそれぞれ切断される。これにより、使用者はヒンジの状態から取り外し行為があったかどうかを判断できる。
【００１３】
また、タブを形作る膨出部位を、補助側壁の合せ面に係る高さ方向の部位のうち、当該補助側壁の上端側の部位とすれば、タブも、補助側壁の上端側に存在することになるので、当該タブの押し下げ操作に起因した外力がヒンジの切断に効率的に作用するため、僅かな取り外し行為でも、かかる行為の有無を容易に判断することができる。
【００１４】
更に、補助側壁に、押圧ヘッドの接触を防止する保護カバーを一体に設ければ、吐出器からの取り外し防止と共に、ストッパー本来の機能である、押圧ヘッドの押し下げを確実に防止することができる。
【図面の簡単な説明】
【００１５】
【図１】本発明の第１の形態である容器用ポンプのストッパーが、当該ポンプに装着された状態を模式的に示す側面図である。
【図２】図１のＸ−Ｘ断面図である。
【図３】(a),(b)はそれぞれ、ポンプ装着後における、同形態のストッパーを模式的に示す背面図及び、同ストッパーを上方から模式的に示す斜視図である。
【図４】同ストッパーのポンプ装着前後の状態を模式的に示す平面図である。
【図５】本発明の第２の形態である容器用ポンプのストッパーが、当該ポンプに装着された状態を模式的に示す側面図である。
【発明を実施するための形態】
【００１６】
以下、図面を参照して、本発明の一形態を詳細に説明する。
【００１７】
容器用ポンプ１０は、図１に示すように、容器口部に螺着される装着筒（ベース）１１と、この装着筒１１から一体に起立する周壁１１ａ（図２等参照）の内側を貫通して当該装着筒１１の下側に配置したポンプ１２に繋がる導管１３と、この導管１３の先端に取り付けられたヘッド１４とを備える。ヘッド１４は、ノズル１４ａを有し、当該ヘッド１４を上下動させることでポンプ作用を生起させる。
【００１８】
ポンプ１２は、シリンダ１２ｓの内側で、このシリンダ１２ｓに配置したピストンを導管１３に連結したピストンガイドで保持すると共に、当該ピストンガイドの内側でポンププランジャを保持した既存のポンプである。
【００１９】
ストッパー１は、図１に示すように、その上端及び下端がそれぞれ、ヘッド１４の下端及び装着筒１１の上端に接触することで、ヘッド１４の押し下げを阻止する、合成樹脂からなる一体成形品である。
【００２０】
ストッパー１は、図２に示すように、周壁１１ａに包囲された導管１３を取り外し可能な側壁２と、この側壁２とヒンジ３を介して開閉可能に繋がり互いに合さって当該側壁２と共に筒体を形成する２つの補助側壁４とを有する。
【００２１】
側壁２は、図４に示すように、筒体の一部を軸線Ｏ方向に沿って開放することで、その側端面ｆ2の相互間に開口部Ａ1が形成されている。これにより、側壁２は、図４に示すように、その開口部Ａ1を通して導管１２を周壁１１ａと共に、その横方向から収納し、また、当該周壁１１ａから取り外すことができる。なお、本形態では、側壁２の内側に、周壁１１ａを保持する少なくとも１つの縦リブ２ｒが設けられている。
【００２２】
また、側壁２の外周面には、把持部５が一体に設けられている。把持部５は、側壁２から外向きに突出する基部（以下、「把持部側基部」）５ａと、この把持部側基部５ａに繋がる把持部本体５ｂとからなる。
【００２３】
これに対し、補助側壁４の開放側の側端面ｆ4は、図４に示すように、開口部Ａ1側に閉じたとき、互いに合さる合せ面として構成されている。これにより、２つの補助側壁４を閉じたとき、互いの開放側の側端面（以下、「合せ面」）ｆ4が、図４(b)等に示すように合さることで、図２に示すように、周壁１１ａを取り囲む筒体を形成する。
【００２４】
更に、本形態では、側壁２を周壁１１ａに嵌合させて２つの補助側壁４を閉じた後、互いの合せ面ｆ4を超音波接着で固定している。これにより、本形態のストッパー１は、装着筒１１とヘッド１４との間から脱落することなく装着筒１１とヘッド１４との間に装着される。
【００２５】
なお、本発明に従えば、２つの合せ面ｆ4を固定する構成として、一方の合せ面ｆ4に設けた突起部を他方の合せ面ｆ4に設けた凹部に嵌合させる構成や、一方の合せ面ｆ4に設けた突起部を他方の合せ面ｆ4に設けた貫通孔を通して当該他方の合せ面ｆ4に掛り止めさせる構成も挙げられる。
【００２６】
また本形態では、補助側壁４の合せ面ｆ4に係る部位のうち、その上端ｅ1側の部位４ａを外向きに膨出させている。これにより、当該部位（以下、「膨出部位」）４ａを合せて固定することで、図２に示すように、補助側壁４を開閉するために用いられるタブ６が形作られる。
【００２７】
本形態では、膨出部位４ａは、高さ方向（軸線Ｏ方向）に延在する縦リブ４ａ1と、この縦リブ４ａ1と繋がり補助側壁４の上端ｅ1と同一平面をなす横リブ４ａ2とで構成されている。これにより、タブ６は、縦リブ４ａ1を合せてなる部分を摘んだ後、横リブ４ａ2を合せてなる部分を引っ掛かりとして、２つの一体化された補助側壁４を側壁２から外向きに引っ張ることができ、或いは、横リブ４ａ2を合せてなる部分を押し下げることができる。
【００２８】
側壁２からタブ６を用いて補助側壁４を操作することができるので、本発明では、２つのヒンジ３をそれぞれ、図３(b)等に示すように薄肉部として構成すると共に、当該ヒンジ３に、軸線Ｏに沿って複数の凹部３ｃを形成している。これにより、タブ６を用いて補助側壁４を上向き（ヘッド１４方向）或いは下向き（装着筒１１方向）に操作すると、２つのヒンジ３がそれぞれ、軸線Ｏに沿って切断される。なお、本発明に従えば、凹部３ｃは、切断予定線として機能するものであれば、薄肉部や複数のスリット（開口部）で構成できる。
【００２９】
２つのヒンジ３が切断されると、補助側壁４は側壁２から分離されることで、容器用ポンプ１０から取り外される。この後、使用者が把持部５を用いて側壁２を外側に引っ張れば、側壁２の側端面ｆ2がそれぞれ周壁１１ａに沿って押し開かれ、開口部Ａ1が拡大することで、周壁１１ａから当該側壁２を取り外すことができる。
【００３０】
これにより、ヘッド１４の押し下げが可能になることから、容器用ポンプ１０では、ヘッド１４を上下動させることでポンプ本体１２でのポンプ作用を生起させることができる。
【００３１】
上述したとおり、本形態のストッパー１は、側壁２にヒンジ３を介して２つの補助側壁４を繋ぎ、当該補助側壁４に設けた膨出部位４ａが互いに合さって固定されることで側壁２と共に筒体を形成するため、２つの補助側壁４を強制的に開く等、当該補助側壁４に対して外部からの積極的な操作が行われないと、容器用ポンプ１０から取り外すことができない。従って、ストッパー１によれば、別部材を用いることなく、容器用ポンプ１０からの取り外しを防止することができる。
【００３２】
また、ストッパー１は、容器用ポンプ１０から取り外すとき、２つの合せ面ｆ4を固定してなるタブ６を操作することで、２つのヒンジ３がそれぞれ切断される。これにより、使用者はヒンジ３の状態から取り外し行為があったかどうかを判断できる。即ち、ストッパー１は、ヒンジ３を切断可能にしたことで、不正開封がなされたか否かを判別することができる、所謂、バージン機能を兼ね備える。
【００３３】
また、本形態の如く、タブ６を形作る膨出部位４ａを、補助側壁４の合せ面ｆ4に係る高さ方向の部位のうち、当該補助側壁４の上端ｅ1側の部位とすれば、タブ６も、補助側壁４の上端ｅ1側に存在することになるので、タブ６の操作に起因した外力がヒンジ３の切断に効率的に作用するため、僅かな取り外し行為があった場合にも、かかる行為の有無を容易に判断することができる。
【００３４】
但し、本発明に従えば、タブ６を形作る膨出部位４ａは、補助側壁４の合せ面ｆ4に係る高さ方向の部位のうちの一部で構成することも可能であるから、補助側壁４の下端ｅ2側の部位とすることもできる。この場合、タブ６も、補助側壁４の下端ｅ2側に存在することになるので、ヒンジ３の切断はタブ６の高さ方向に沿った引き上げによって行われる。また、本発明に従えば、タブ６を形作る膨出部位４ａは、軸線Ｏに沿って補助側壁４の合せ面ｆ4に係る高さ方向の部位全体で構成することも可能である。
【００３５】
更に、他の形態として、図５の二点鎖線に示すように、側壁２に、ヘッド１３の接触を防止する保護カバー７を一体に設けることもできる。この場合、容器用ポンプ１０からの取り外し防止と共に、ストッパー本来の機能である、ヘッド１４の押し下げを確実に防止することができる。
【００３６】
上述したところは、本発明の一形態を示したに過ぎず、特許請求の範囲内において、種々の変更を加えることができる。例えば、本発明に係る側壁２は、装着筒１１とヘッド１４との間から取り外し可能な構成であれば、本形態のように装着筒１１に対して取り外し可能な構成であるものに限らず、装着筒１１、導管１３及びヘッド１４の少なくともいずれか一つに対して取り外し可能な構成とすることができる。また、各形態に採用された各構成はそれぞれ、互いに適宜組み合わせることができる。
【符号の説明】
【００３７】
１    ストッパー
２    側壁
３    ヒンジ
４    補助側壁
４ａ  膨出部位
４ａ1 縦リブ（膨出部位）
４ａ2 横リブ（膨出部位）
５    把持部
５ａ  把持部側基部
５ｂ  把持部本体
６    タブ
７    保護カバー
ｅ1   補助側壁上端
ｅ2   補助側壁下端
ｆ4   補助側壁の合せ面
【図１】
2010173720.tif 000003
【図２】
2010173720.tif 000004
【図３】
2010173720.tif 000005
【図４】
2010173720.tif 000006
【図５】
2010173720.tif 000007